(57)【特許請求の範囲】
【請求項１】
週刊誌綴じ態様の印刷物を自動的に出力するためのモードである週刊誌綴じモードを備えた画像形成装置であって、
複数ページの原稿の画像データを入力する画像入力手段と、
上記入力された原稿の画像データに基づいて記録紙上に画像を形成する作像手段と、
上記複数ページのうちから、上記出力される週刊誌綴じ態様の印刷物において折丁の最も内側になるページである見開きページに配置するページを決定するための条件を指定する条件指定手段と、
上記指定された条件に基づき、上記複数ページのうちから上記見開きページに配置するページを決定するページ判断手段と、
上記見開きページに配置すべきと判断されたページに対し、残りのページの印字モードとは異なる印字モードを指定し得るモード指定手段と、
上記見開きページに配置すると決定されたページと上記入力された原稿の総ページ数とに応じて、印刷する記録紙の枚数を決定する枚数決定手段と、
上記決定された枚数の記録紙による上記週刊誌綴じ態様の印刷物において、上記見開きページに配置すると決定されたページが、上記見開きページに配置されるとともに上記指定された印字モードで画像形成され、且つ、上記入力された原稿の画像データが当該入力された原稿におけるページ順で配置されるように、上記作像手段に、上記入力された原稿の画像データに基づいて作像させる制御手段とを備えるディジタル画像形成装置。
【請求項２】
請求項１に記載のディジタル画像形成装置において、
上記条件指定手段において指定される条件は、当該入力された原稿におけるページ番号であることを特徴とするディジタル画像形成装置。
【請求項３】
請求項１に記載のディジタル画像形成装置において、
上記条件指定手段において指定される条件は、カラーを含む原稿を見開きページに配置すべきとする条件であることを特徴とするディジタル画像形成装置。
【請求項４】
請求項１に記載のディジタル画像形成装置において、
上記条件指定手段において指定される条件は、大サイズの原稿を見開きページに配置すべきとする条件であることを特徴とするディジタル画像形成装置。
【請求項５】
請求項１に記載のディジタル画像形成装置において、
上記条件指定手段において指定される条件は、前記入力された原稿に合紙が挿入されている場合に当該合紙の前または後に隣接する原稿を見開きページに配置すべきとする条件であることを特徴とするディジタル画像形成装置。
【請求項６】
請求項１乃至５のいずれか一に記載のディジタル画像形成装置において、
上記モード指定手段が指定する異なる印字モードは、異なるカラーモードを指定する印字モードであることを特徴とするディジタル画像形成装置。
【請求項７】
請求項１乃至５のいずれか一に記載のディジタル画像形成装置において、
上記モード指定手段が指定する異なる印字モードは、種類の異なる用紙を指定する印字モードであることを特徴とするディジタル画像形成装置。
【発明の詳細な説明】
【０００１】
【発明の属する技術分野】
この発明はディジタル画像形成装置に関する。より詳しくは、画像形成して得られた複数枚の印刷物（プリント）を重ねて、週刊誌のように見開きページの中央で綴じる週刊誌綴じ機能を備えたディジタル画像形成装置に関する。
【０００２】
なお、この明細書において、「週刊誌綴じ態様の印刷物」は、週刊誌綴じのために作成され、綴じる前の印刷物を指す。
【０００３】
【従来の技術および発明が解決しようとする課題】
従来、この種の週刊誌綴じ機能を有する複写機としては、特開平１０−１３６５９号公報に開示されているように、例えば原稿の３ページと４ページの画像が週刊誌綴じ態様の印刷物の見開きページに必ず配置されるように、原稿の３、４ページとその後の５ページとを入れ替えてプリントしたり、原稿ページの３、４ページの前に白紙を挿入してページをずらしたりするものがある。
【０００４】
しかしながら、従来の複写機では、見開きページが残りのページとは異なるモード（例えばフルカラー）で印刷された週刊誌綴じ態様の印刷物を、自動的に得ることができない。そのような印刷物を得ようとした場合、まず操作者は、原稿群中から見開きページに配置すべき２ページ分の原稿とその裏面に配置すべき２ページ分の原稿との合計４ページ分の原稿を抜き出し、それらを週刊誌綴じモードでカラーコピーする。一方、残りの原稿を週刊誌綴じモードで白黒コピーする。そして、得られた２組のプリントを合体し、見開きペ−ジの中央で綴じて週刊誌綴じ態様にする。このように操作者は、２回に分けてコピーを行い、得られたプリントを合体するという、面倒で煩わしい作業を行わなければならない。
【０００５】
そこで、この発明の目的は、見開きページが残りのページとは異なる印字モードで印刷され、且つ、原稿のページ順通りにページが配置された週刊誌綴じ態様の印刷物を、簡単な操作で確実に得ることができるディジタル画像形成装置を提供することにある。
【０００６】
【課題を解決するための手段】
上記目的を達成するため、この発明のディジタル画像形成装置は、週刊誌綴じ態様の印刷物を自動的に出力するためのモードである週刊誌綴じモードを備えた画像形成装置であって、
複数ページの原稿の画像データを入力する画像入力手段と、
上記入力された原稿の画像データに基づいて記録紙上に画像を形成する作像手段と、
上記複数ページのうちから、上記出力される週刊誌綴じ態様の印刷物において折丁の最も内側になるページである見開きページに配置するページを決定するための条件を指定する条件指定手段と、
上記指定された条件に基づき、上記複数ページのうちから上記見開きページに配置するページを決定するページ判断手段と、
上記見開きページに配置すべきと判断されたページに対し、残りのページの印字モードとは異なる印字モードを指定し得るモード指定手段と、
上記見開きページに配置すると決定されたページと上記入力された原稿の総ページ数とに応じて、印刷する記録紙の枚数を決定する枚数決定手段と、
上記決定された枚数の記録紙による上記週刊誌綴じ態様の印刷物において、上記見開きページに配置すると決定されたページが、上記見開きページに配置されるとともに上記指定された印字モードで画像形成され、且つ、上記入力された原稿の画像データが当該入力された原稿におけるページ順で配置されるように、上記作像手段に、上記入力された原稿の画像データに基づいて作像させる制御手段とを備える。
【０００７】
この発明のディジタル画像形成装置では、入力された原稿の複数ページのうちから、出力される週刊誌綴じ態様の印刷物において折丁の最も内側になるページである見開きページに配置するページを決定するための条件が、条件指定手段によって指定される。上記指定された条件に基づき、上記複数ページのうちから上記見開きページに配置するページが、ページ判断手段によって決定される。モード指定手段によって、上記見開きページに配置すべきと判断されたページに対し、残りのページの印字モードとは異なる印字モードが指定され得る。上記見開きページに配置すると決定されたページと上記入力された原稿の総ページ数とに応じて、印刷する記録紙の枚数が、枚数決定手段によって決定される。制御手段は、上記決定された枚数の記録紙による上記週刊誌綴じ態様の印刷物において、上記見開きページに配置すると決定されたページが、上記見開きページに配置されるとともに上記指定された印字モードで画像形成され、且つ、上記入力された原稿の画像データが当該入力された原稿におけるページ順で配置されるように、上記作像手段に、上記入力された原稿の画像データに基づいて作像させる。
この画像形成装置が上述のように動作することによって、操作者は、見開きページが残りのページとは異なる印字モードで印刷され、且つ、原稿のページ順通りにページが配置された週刊誌綴じ態様の印刷物を、簡単な操作で確実に得ることができる。なお、印字モードの指定は、例えば操作者による入力に基づいて行われる。
一実施形態のディジタル画像形成装置では、上記条件指定手段において指定される条件は、当該入力された原稿におけるページ番号であることを特徴とする。
一実施形態のディジタル画像形成装置では、上記条件指定手段において指定される条件は、カラーを含む原稿を見開きページに配置すべきとする条件であることを特徴とする。
一実施形態のディジタル画像形成装置では、上記条件指定手段において指定される条件は、大サイズの原稿を見開きページに配置すべきとする条件であることを特徴とする。
一実施形態のディジタル画像形成装置では、上記条件指定手段において指定される条件は、前記入力された原稿に合紙が挿入されている場合に当該合紙の前または後に隣接する原稿を見開きページに配置すべきとする条件であることを特徴とする。
【０００８】
一実施形態のディジタル画像形成装置では、上記モード指定手段が指定する異なる印字モードは、異なるカラーモードを指定する印字モードであることを特徴とする。
【０００９】
ここで「カラーモード」とは、フルカラーやマルチカラーなどの複数色を用いて画像形成する印字モードだけでなく、ブラック（黒）などの単色を用いて画像形成する印字モードを含み、広くカラーに関する印字モードを意味する。
【００１０】
この一実施形態のディジタル画像形成装置では、上記モード指定手段が指定する異なる印字モードは、異なるカラーモードを指定する印字モードであるから、見開きページが残りのページとは異なるカラーモードで印刷されている週刊誌綴じ態様の印刷物を、簡単な操作で確実に得ることができる。
【００１１】
また、一実施形態のディジタル画像形成装置では、上記モード指定手段が指定する異なる印字モードは、種類の異なる用紙を指定する印字モードであることを特徴とする。
【００１２】
この一実施形態のディジタル画像形成装置では、上記モード指定手段が指定する異なる印字モードは、種類の異なる用紙を指定する印字モードであるから、見開きページを含む用紙が残りの用紙とは異なる種類になっている週刊誌綴じ態様の印刷物を、簡単な操作で確実に得ることができる。
【００１３】
【発明の実施の形態】
以下、この発明のディジタル画像形成装置を図示の実施の形態により詳細に説明する。
【００１４】
図１は一実施形態のディジタル複写機１の全体構成を示している。この複写機１は、イメージリーダＩＲと、プリンタ装置ＰＲＴと、フィニッシャ７００とから概略構成されている。
【００１５】
イメージリーダＩＲの本体は、原稿ガラス１８上に載置された原稿を読み取って画像データに変換して出力する走査系１０と、この走査系１０が出力する光電変換信号の量子化と種々の画像形成モードに応じた信号処理とを行う画像信号処理部２０と、原稿群の画像データをページ毎に記憶し得るメモリユニット部３０とから構成されている。そして、この本体上部に原稿カバーを兼ねた付加装置である自動原稿送り装置（ＡＤＦＲ）５００がその後端部を支点に開閉可能に組み付けられている。
【００１６】
走査系１０は、ライン走査方式の画像読み取り機構であって、原稿照射用ランプ１１とミラー１２とを有したスキャナ１９と、固定ミラー１３ａ、１３ｂと、集光レンズ１４と、ダイクロイックミラー１５と、ＣＣＤアレイからなるイメージセンサ１６，１７と、スキャナ１９を駆動するスキャンモータＭ２などから構成されている。画像信号処理部２０は、イメージセンサ１６，１７から出力される画像信号を処理し、原稿内の黒色を主とした画像と赤色を主とした画像とを識別して、色データ付きの画像データをメモリユニット部３０に出力する。なお、メモリユニット部３０については後述する。
【００１７】
ＡＤＦＲ５００は、原稿スタッカ５１０上にセットされた原稿を、給紙ローラ５０１、捌きローラ５０２、捌きパッド５０３、中間ローラ５０４、レジストローラ５０５及び搬送ベルト５０６によって原稿台ガラス１８上に搬送し、読み取り後の原稿を排紙ローラ５０９によって原稿排出卜レイ５１１上に排出する。このＡＤＦＲ５００には、原稿スケール５１２、原稿の有無を検出する原稿センサＳＥ５０、原稿サイズセンサＳＥ５１、及び排出センサＳＥ５２が設けられている。
【００１８】
例えば複数ページの原稿のコピーに際して、オペレータは、各原稿をその表面を上側に向けて重ねてセットする。原稿スタッカ５１０上の各原稿は、最下部の原稿から１枚ずつ引き出され、表面を下側に向けて原稿台ガラス１８上の読み取り位置に正確にセットされる。そして、片面原稿モードの場合には、読み取り終了後、原稿は図の左方向に搬送され、上面が表面となるように排出される。また、両面原稿モードの場合には、表面読み取り終了後に左方向に送られた原稿は、反転ローラ５０７によって表裏が反転されて、原稿台ガラス１８上の読み取り位置に戻され、裏面の読み取り終了後に再び左方向に送られて排出される。
【００１９】
プリンタ装置ＰＲＴは、露光制御信号を出力する印字処理部４０と、半導体レーザ６１，６２を光源とするプリントヘッド６０と、作像系７０を備えて、イメージリーダＩＲから転送された画像データに基づいて電子写真プロセスによって複写画像をプリントするようになっている。
【００２０】
詳しくは、作像系７０は、感光体ドラム７１とその周辺装置からなる現像転写系７０Ａと、再給紙ユニット６００を含む循環式の用紙搬送系７０Ｂと、定着ローラ対８４及び排出ローラ８５などを有した定着・排出系７０Ｃから構成されている。
【００２１】
プリンタ装置ＰＲＴの下部には、数百枚程度の用紙を収納できる２つの給紙カセット８０ａ、８０ｂと、用紙サイズ検出センサＳＥ１１、１２と、搬送用ローラ群８１が設けられている。用紙は、給紙口としての給紙カセット８０ａまたは８０ｂから１枚ずつ送り出され、搬送用ローラ８１によってタイミングローラ８２のところで一旦待機する。そして、感光体ドラム７１上のトナー像形成と同期して感光体ドラム７１と転写チャージャ７４との間の転写位置（複写位置）に送り込まれる。
【００２２】
半導体レーザ６１，６２から射出されたレーザビームは、ダイクロイックミラー６３を介してポリゴンミラー６５に入射し、このポリゴンミラー６５で主走査方向に偏向され、主レンズ６９及び各種のミラー６７ａ、６８、６７ｂ，６７ｃを経て感光体ドラム７１の露光位置に導かれる。
【００２３】
感光体ドラム７１の表面は帯電チャージャ７２ａ，７２ｂによって一様に帯電される。露光により形成された潜像は、現像器７３ａ，７３ｂを経て赤色および／または黒色のトナー像となり、そのトナー像は転写位置で転写チャージャ７４によって用紙に転写される。トナー像が転写された用紙は分離チャージャ７５によって感光体ドラム７１から分離され、搬送ベルト８３によって定着ローラ対８４へ送られ、さらに排出ローラ８５によってプリンタ装置本体から排出される。
【００２４】
再給紙ユニット６００は、両面コピーを自動化するための付加装置としてプリンタ装置ＰＲＴの側面に組み付けられており、排出ローラ８５によりプリンタ装置本体から排出された用紙を一旦収納し、スイッチバック搬送を行ってプリンタ装置本体に送り返す機能を有している。
【００２５】
片面コピーモードでは、用紙は再給紙ユニット６００を素通りしてフィニッシャ７００へ送り込まれる。これに対して、両面コピーモードでは、図示しないソレノイドによって切り換え爪６０１上の左端部が上方へ移動し、排出ローラ８５から送り込まれた用紙は、切り換え爪６０１によって案内されて搬送ローラ６０２を通って正反対ローラ６０３に達する。用紙後端が用紙センサＳＥ６１に達すると、正反対ローラ６０３が反転する。これによって、用紙はプリンタ装置本体に戻される。戻された用紙は、水平搬送ローラ８６ａ、８６ｂ、８６ｃを通ってタイミングローラ８２へ送られて待機する。
【００２６】
フィニッシャ７００は、前記再給紙ユニット６００から送り込まれた用紙（これを「プリント」と呼ぶ。）を積載収容するノンソートトレイ７６１と、プリントをトレイ７６３上に集積した後にトレイ７６３から搬出してステープラ７６４で綴じるステープル処理部７６２と、上下動可能な大容量収容トレイ７６５と、紙折り処理部７７４と、プリント搬送部７８０とで構成されている。
【００２７】
プリント搬送部７８０は、再給紙ユニット６００から送り込まれたプリントをローラ７９１で受け取って下方へ搬送する搬送路７８１と、プリントをローラ７９２でスイッチバックさせて上方へ搬送するスイッチバック搬送路７８２と、スイッチバックされたプリントをノンソートトレイ７６１へ搬送する搬送路７８３と、その搬送路７８３の分岐点７８３ｂからプリントをステープル処理トレイ７６３へ搬送する搬送路７８４と、その搬送路７８３の分岐点７８３ａからプリントを大容量収容トレイ７６５へ搬送する搬送路７８５と、ステープラ７６４で綴じられたプリント束を搬送路７８５の合流点７８５ａまで搬送する搬送路７８６とで構成されている。さらに、搬送路７８３にはパンチ穴あけユニット７８９が設置されている。
【００２８】
紙折り処理部７７４は、３本の紙折りローラ７７５，７７６，７７７を備えている。この紙折り処理部７７４によれば、図２（Ａ）に示すようにプリントＰを中央で折り畳む二つ折りモードと、図２（Ｂ）に示すようにプリントＰをＺ状に折り畳むＺ折りモードと、一旦二つ折りしたプリントＰを週刊誌綴じのために図２（Ｃ）に示すように開く紙開きモードの処理が可能である。なお、３本の紙折りローラ７７５，７７６，７７７によるこの種の紙折り処理は周知であり、その詳細は省略する。紙折り処理されたプリントは、搬送路７７８から縦搬送路７７９を下方に搬送され、かつ、ローラ７９６でスイッチバックされて縦搬送路７７９を上方へ搬送され、前記搬送路７８３の分岐点７８３ａへ搬送される。
【００２９】
図１中に示すステープル処理部７６２は、プリント束にステープルを打ち込むヘッド部ユニット７９９と、プリント束を打ち抜いたステープルの両脚を内側に折り曲げるヘッド部ユニット７９８とを備えている。そして、これらのユニット７９８，７９９を、図示しない駆動手段によって図１の紙面に垂直な方向に平行移動できるようになっている。このステープル処理部７６２によれば、トレイ７６３上に集積されたプリント束に対して、図３（Ａ）に示すようにステープルＳをコーナー部に打ち込むコーナーステープルモードと、図３（Ｂ）に示すように例えば２個のステープルＳを一側部に打ち込むサイドステープルモードと、図３（Ｃ）に示すように例えば２個のステープルＳを中央の折り目上に打ち込む中央ステープルモードの処理が可能である。なお、この種のステープル処理は周知であり、その詳細は省略する。
【００３０】
図４はプリンタ装置ＰＲＴ上に設置された操作パネルＯＰを示している。この操作パネルＯＰ上には、液晶タッチパネル４０１と、コピー部数やコピー倍率を入力するためのテンキー４０２と、テンキー４０２での入力をリセットするためのクリアーキー４０３と、各種コピーモード等を初期設定状態にリセットするためのリセットキー４０４と、コピー動作を開始させるためのスタートキー４０６と、コピー動作を中断させるためのストップキー４０５が設置されている。さらに、操作パネルＯＰ上には、オペレータが各種コピーモードを指定するために、ステープルモード選択キー４１０と、紙折りモード選択キー４２０と、カラーモード選択キー４３０と、週刊誌綴じモード選択キー４４０と、見開きページモードキー４５０と、見開きページ指定キー４６０が設けられている。これとともに、各キー４１０，４２０，４３０，４４０，４５０，４６０の近傍には、それぞれモード指定状態を表すためのＬＥＤ４１１〜４１３；４２１〜４２３；４３１〜４３２；４４１；４５１〜４５４；４６１〜４６４が設けられている。なお、各種コピーモードの指定の仕方について後に詳述する。
【００３１】
図５は複写機１の制御部１００のブロック構成を示している。制御部１００は、シリアル入出力インターフェイス（Ｉ／Ｏ）１１０を介して接続された中央演算処理装置（ＣＰＵ）１０１〜１０６を有している。これらのＣＰＵ１０１〜１０６には、それぞれプログラムを格納したＲＯＭ１１１〜１１６と、データを一時的に格納する作業エリアとしてのＲＡＭ１２１〜１２６が設けられている。なお、ＣＰＵ１０６はメモリユニット部３０内に設けられている。
【００３２】
ＣＰＵ１０１は、操作パネルＯＰ上の各種入力キー、各種センサからの入力信号、及び操作パネルＯＰ上の表示部への表示出力制御を行う。特に、週刊誌綴じモードの指定や、それと組み合わせた見開きページに関する指定は、オペレータによって操作パネルＯＰを通して行われる。なお、この実施形態では、特に断らない限り、「見開きページ」とは週刊誌綴じ態様の中央、言い換えれば折丁の最も内側になるページを指す。
【００３３】
ＣＰＵ１０２は、画像信号処理部２０の各部の制御を行うとともに、画像信号処理部２０が出力する色データに基づいて、各原稿の色を判断する。ＣＰＵ１０３は、走査系１０の駆動制御を行うとともに、原稿サイズセンサＳＥ５１の出力に基づいて、各原稿のサイズと各原稿が合紙であるか否かを判断する。ＣＰＵ１０４は、印字処理部４０を含むプリンタ装置ＰＲＴの制御を行う。
【００３４】
また、ＣＰＵ１０５は、制御部１００の全体的なタイミング調整、及び動作モードを設定するための処理を担う。そのため、ＣＰＵ１０５は、他のＣＰＵとのシリアル通信を行って、制御に必要なコマンドやレポートなどの送受を行う。
【００３５】
ＣＰＵ１０６は、メモリユニット部３０における画像データの書き込み、読み出し、およびそれに伴う画像の圧縮、伸張に関する制御を行う。
【００３６】
図６はメモリユニット部３０のブロック構成を示している。メモリユニット部３０は、画像データの書き込み／読み出しを切り換える切換え部３０１と、ＣＰＵ１０６からのパラメータ設定に基づいて２値データを作成する２値化処理部３０２と、４００ｄｐｉでＡ３サイズ１ページ分の容量を有したマルチポートの画像メモリ３０４と、それぞれ独立に動作可能な圧縮器３１１および伸張器３１２を有する符号処理部３０５と、３２Ｋバイト単位の複数のメモリ領域を有したマルチポートの符号メモリ３０６と、出力用画像データを回転させる回転処理部３０７と、ＣＰＵ１０６からのパラメータ設定に基づいて多値データを作成する多値化処理部３０８とを備えている。
【００３７】
切換え部３０１を通して入力された画像データＤ２は、２値化処理部３０２によって２値データに変換されて、画像メモリ３０４内のＣＰＵ１０６によって指示された領域に書き込まれる。画像メモリ３０４に画像データＤ２が書き込まれると、ＣＰＵ１０６は、画像メモリ３０４から画像データを読み出し、読み出した画像データを符号処理部３０５の圧縮器３１１によって圧縮して符号データを作成する処理を行う。これとともに、ＲＡＭ１２６内にメモリ管理テーブルＭＴを作成しながら、そのメモリ管理テーブルＭＴの内容に従って、上記符号データを符号メモリ３０６に格納していく。なお、メモリ管理テーブルＭＴには、符号メモリ３０６の各メモリ領域を示す番号、ページ番号が格納されるとともに、ページが複数の領域に分割されている場合は連結されている領域の番号が格納される。さらに、圧縮方式やデータ長などの圧縮、伸張処理に必要な各種の付加情報が格納される。
【００３８】
逆に、画像データを出力する際には、ＣＰＵ１０６は、符号メモリ３０６から符号データを読み出し、読み出した符号データを符号処理部３０５の伸張器３１２によって伸張して、画像メモリ３０４内のＣＰＵ１０６によって指示された領域に書き込む。週刊誌綴じモードなどで、複数の画像を１ページ分の画像として出力するページ合成を行う場合は、さらに別のページの画像を画像メモリ３０４におけるＣＰＵ１０６によって指示された領域に書き込み、出力すべき１ページ分のデータを作成する。画像メモリ３０４に１ページ分の画像データが生成されると、回転処理部３０７によって必要に応じて回転処理が施された後、多値化処理部３０８によって多値の画像データが生成される。そして、この多値データが切換え部３０１を通して画像データＤ３として出力される。なお、メモリ管理テーブルＭＴ内の情報は、該当ページの情報が必要部数すべて正常に排出されたときに消去される。
【００３９】
図７は、ＣＰＵ１０１で実行されるメインルーチンのフローを示している。まず、初期設定を行い（Ｓ１１）、１ルーチンの処理時間を一定にするための内部タイマをセットして計時を開始する（Ｓ１２）。次に、操作パネルＯＰからの各種スイッチ類、複写機内部の各種センサ類等からの入力信号の制御処理（Ｓ１３）、操作パネルＯＰ上の液晶表示パネル、表示素子等への表示制御処理（Ｓ１４）、その他内部機構の制御処理を行い（Ｓ１５）、内部タイマの計時終了を待ち（Ｓ１６）、ステップＳ１２に戻る。なお、他のＣＰＵ１０２〜１０６との間の通信は割り込み処理により実行される。
【００４０】
図８は、ＣＰＵ１０５で実行されるメインルーチンのフローを示している。まず、初期設定を行い（Ｓ６１）、内部タイマをセットして計時を開始する（Ｓ６２）。割り込みで入力された各種データの内容を解析し（Ｓ６３）、動作モードの変更があった場合はモード設定処理を行う（Ｓ６４）。次に、設定された複写モードに応じて、画像メモリへの書き込み制御または画像メモリからの読み出し制御のためのコマンド設定処理を行う（Ｓ６５）。次に、割り込み処理で出力するデータをセットし（Ｓ６６）、その他の処理を行う（Ｓ６７）。その後、内部タイマの計時終了を待ち（Ｓ６８）、ステップＳ６２に戻る。
【００４１】
図９は、ＣＰＵ１０６で実行されるメインルーチンのフローを示している。まず、初期設定を行い（Ｓ７１）、他のＣＰＵからのコマンドの受信処理（Ｓ７２）、ステータスの送信処理を行う（Ｓ７３）。さらに、画像メモリヘの書き込み制御（Ｓ７４）、圧縮制御（Ｓ７５）、伸長制御（Ｓ７６）、画像メモリからの読み出し制御を行う（Ｓ７７）。この後、その他の処理（Ｓ７８）を行い、ステップＳ７２に戻る。
【００４２】
図１０〜図１２は、各種コピーモードを指定するためにオペレータが操作パネルＯＰ（図４参照）上でした操作に伴って、ＣＰＵ１０１が実行する入力処理のフローを示す図である。
【００４３】
図１０に示すように、現在複写中であるか否かを判断し（Ｓ５０１）、複写中でなければ次に述べるステープルモードの設定を行う。すなわち、ステープルモード選択キー４１０が１回オンされると（Ｓ５０２）、まずコーナーステープルＬＥＤ４１１がオンしているか否か、すなわち現在コーナーステープルモードに設定されているか否かを判断する（Ｓ５０３）。ここでコーナーステープルモードに設定されていれば、コーナーステープルＬＥＤ４１１をオフして、サイドステープルモードを設定するとともにそれに対応するＬＥＤ４１２をオンする（Ｓ５０４）。ステップＳ５０３でコーナーステープルモードに設定されていなければ、次にサイドステープルＬＥＤ４１２がオンしているか否か、すなわち現在サイドステープルモードに設定されているか否かを判断する（Ｓ５０５）。ここでサイドステープルモードに設定されていれば、サイドステープルＬＥＤ４１２をオフして、中央ステープルモードを設定するとともにそれに対応するＬＥＤ４１３をオンする（Ｓ５０６）。ステップＳ５０５でサイドステープルモードに設定されていなければ、次に中央ステープルＬＥＤ４１３がオンしているか否か、すなわち現在中央ステープルモードに設定されているか否かを判断する（Ｓ５０７）。ここで中央ステープルモードに設定されていれば、中央ステープルＬＥＤ４１３をオフして、ステープルモードをキャンセルする（Ｓ５０８）。ステップＳ５０７で中央ステープルモードに設定されていなければ、コーナーステープルモードを設定するとともにそれに対応するＬＥＤ４１１をオンする（Ｓ５０９）。
【００４４】
ステープルモード選択キー４１０が１回オンされるごとに、このようなＳ５０２〜Ｓ５０９の処理を実行する。この結果、ステープルモード選択キー４１０が１回オンされるごとにコーナーステープル、サイドステープル、中央ステープルの各モードが順次切り替えて選択され、４回目のオンでステープルモードがキャンセルされる。
【００４５】
続いて図１１に示すように、紙折りモードの設定を行う。すなわち、紙折りモード選択キー４２０が１回オンされると（Ｓ５１０）、まず二つ折りＬＥＤ４２１がオンしているか否か、すなわち現在二つ折りモードに設定されているか否かを判断する（Ｓ５１１）。ここで二つ折りモードに設定されていれば、二つ折りＬＥＤ４２１をオフして、Ｚ折りモードを設定するとともにそれに対応するＬＥＤ４２２をオンする（Ｓ５１２）。ステップＳ５１１で二つ折りモードに設定されていなければ、次にＺ折りＬＥＤ４２２がオンしているか否か、すなわち現在Ｚ折りモードに設定されているか否かを判断する（Ｓ５１３）。ここでＺ折りモードに設定されていれば、Ｚ折りＬＥＤ４２２をオフして、紙開きモードを設定するとともにそれに対応するＬＥＤ４２３をオンする（Ｓ５１４）。ステップＳ５１３でＺ折りモードに設定されていなければ、次に紙開きＬＥＤ４２３がオンしているか否か、すなわち現在紙開きモードに設定されているか否かを判断する（Ｓ５１５）。ここで紙開きモードに設定されていれば、紙開きＬＥＤ４２３をオフして、紙折りモードをキャンセルする（Ｓ５１６）。ステップＳ５１５で紙開きモードに設定されていなければ、二つ折りモードを設定するとともにそれに対応するＬＥＤ４２１をオンする（Ｓ５１７）。
【００４６】
紙折りモード選択キー４２０が１回オンされるごとに、このようなＳ５１０〜Ｓ５１７の処理を実行する。この結果、紙折りモード選択キー４２０が１回オンされるごとに二つ折り、Ｚ折り、紙開きの各モードが順次切り替えて選択され、４回目のオンで紙折りモードがキャンセルされる。なお、図示しないが、中央ステープルモードが選択されたときは、それに応じて紙開きモードが自動的に選択される。
【００４７】
続いて図１２に示すように、カラーモードの設定を行う。すなわち、カラーモード選択キー４３０が１回オンされると（Ｓ５１８）、まず赤モードＬＥＤ４３１がオンしているか否か、すなわち現在赤モードに設定されているか否かを判断する（Ｓ５１９）。ここで赤モードに設定されていれば、赤モードＬＥＤ４３１をオフして、黒モードを設定するとともにそれに対応する黒モードＬＥＤ４３２をオンする（Ｓ５２０）。ステップＳ５１９で赤モードモードに設定されていなければ、黒モードＬＥＤ４３２をオフして、赤モードを設定するとともにそれに対応する赤モードＬＥＤ４３１をオンする。
【００４８】
カラーモード選択キー４３０が１回オンされるごとに、このようなＳ５１８〜Ｓ５２１の処理を実行する。この結果、カラーモード選択キー４３０が１回オンされるごとにカラーモードとして黒モードと赤モードとが順次切り替えて選択される。
【００４９】
続いて、週刊誌綴じモード選択キー４４０がオンされたか否かを判断して（Ｓ５２２）、週刊誌綴じモード選択キー４４０がオンされていれば、週刊誌綴じＬＥＤ４４１がオンしているか否か、すなわち週刊誌綴じモードが設定されているか否かを判断する（Ｓ５２３）。ここで、週刊誌綴じモードが設定されていれば、週刊誌綴じＬＥＤ４４１をオフして、週刊誌綴じモードを解除する（Ｓ５２４）。一方、週刊誌綴じモードが設定されていなければ（Ｓ５２３でＮＯ）、週刊誌綴じＬＥＤ４４１をオンして、週刊誌綴じモードを設定する（Ｓ５２４）。
【００５０】
続いて、週刊誌綴じモードが設定されているか否かを判定し（Ｓ５２６）、週刊誌綴じモードが設定されていれば、週刊誌綴じモード設定処理（Ｓ５２７）を実行する。
【００５１】
図１３〜図１６は上記週刊誌綴じモード設定処理（図１２中のＳ５２７）の具体的なフローを示している。この週刊誌綴じモード設定処理では、概して言って、まず見開きページに配置すべき原稿画像ページの指定法を設定し、次に見開きページの印字モードを設定する。
【００５２】
まず図１３に示すように、見開きページに配置すべき原稿画像ページの指定法を設定する。この指定法としては、図４中に示す見開きページ指定法キー４６０近傍のＬＥＤ４６１〜４６４にそれぞれ対応して、見開きページに配置すべき原稿画像ページをページ番号で指定する「ページ数」指定モードと、白黒以外のカラーを含む原稿の画像を見開きページに配置する見開き「カラー原稿」指定モードと、複数の原稿中の或る原稿のサイズが残りの原稿のサイズより大きいとき、その大サイズの原稿の画像を見開きページに配置する見開き「大サイズ」原稿指定モードと、複数の原稿中に合紙が挿入されているとき、その合紙の後に隣接する原稿の画像を見開きページに配置する見開き「合紙」原稿指定モードとの４種類が用意されている。なお、週刊誌綴じモードが選択（週刊誌綴じＬＥＤ４４１がオン）されている場合に限り、見開きページ指定法キー４６０が有効になる。
【００５３】
図１３中に示すように見開きページ指定法キー４６０が１回オンされると（Ｓ６０１）、まずページ数指定ＬＥＤ４６１がオンしているか否か、すなわち現在ページ数指定モードに設定されているか否かを判断する（Ｓ６０２）。ここでページ数指定モードに設定されていれば、ページ数指定ＬＥＤ４６１をオフして、見開きカラー原稿指定モードを設定するとともにそれに対応するＬＥＤ４６２をオンする（Ｓ６０３）。ステップＳ６０２でページ数指定モードに設定されていなければ、次にＬＥＤ４６２がオンしているか否か、すなわち現在見開きカラー原稿指定モードに設定されているか否かを判断する（Ｓ６０４）。ここで見開きカラー原稿指定モードに設定されていれば、ＬＥＤ４６２をオフして、見開き大サイズ原稿指定モードを設定するとともにそれに対応するＬＥＤ４６３をオンする（Ｓ６０５）。ステップＳ６０４で見開きカラー原稿指定モードに設定されていなければ、次にＬＥＤ４６３がオンしているか否か、すなわち現在見開き大サイズ原稿指定モードに設定されているか否かを判断する（Ｓ６０６）。ここで見開き大サイズ原稿指定モードに設定されていれば、ＬＥＤ４６３をオフして、見開き合紙原稿指定モードを設定するとともにそれに対応するＬＥＤ４６４をオンする（Ｓ６０７）。ステップＳ６０６で見開き大サイズ原稿指定モードに設定されていなければ、次にＬＥＤ４６４がオンしているか否か、すなわち現在見開き合紙原稿指定モードに設定されているか否かを判断する（Ｓ６０８）。ここで、見開き合紙原稿指定モードに設定されていれば、ＬＥＤ４６４をオフして、見開きページ指定法の選択をキャンセルする（Ｓ６０９）。ステップＳ６０８で見開き合紙原稿指定モードに設定されていなければ、ページ数指定モードを設定するとともにそれに対応するＬＥＤ４６１をオンし（Ｓ６１０）、さらにページ番号指定フラグを１に設定する（Ｓ６１１）。
【００５４】
見開きページ指定法キー４６０が１回オンされるごとに、このようなＳ６０１〜Ｓ６１１の処理を実行する。この結果、見開きページ指定法キー４６０が１回オンされるごとにページ数指定、見開きカラー原稿指定、見開き大サイズ原稿指定、見開き合紙原稿指定の各モードが順次切り替えて選択され、５回目のオンで見開きページ指定法の選択がキャンセルされる。
【００５５】
図１４に示すように、ページ数指定フラグが１に設定されていれば（Ｓ６１２）、ページ番号指定ルーチンを実行する（Ｓ６１３）。このページ番号指定ルーチンでは、図１７に示すように、まず操作パネルＯＰ上のタッチパネル４０１に、「中央の見開きページにする原稿の頁数を入力してください。」という文字列と、入力したページ番号をオペレータに確認させるための「ＯＫ」キーとを表示する（Ｓ７０１）。ここでオペレータがページ番号を入力して「ＯＫ」キーをオンすると（Ｓ７０２）、そのページ番号（置数）を見開きページ（週刊誌綴じ態様の中央）に割り付ける原稿のページ番号としてＲＡＭ１２１に格納する（Ｓ７０３）。そして、表示を元に戻し（Ｓ７０４）、ページ番号指定フラグを０に戻す（Ｓ７０５）。
【００５６】
次に図１５に示すように、見開きページの印字モードを選択する。この見開きページの印字モードとしては、図４中に示す見開きページモードキー４５０近傍のＬＥＤ４５１〜４５４にそれぞれ対応して、見開きページを含む用紙（以下「見開き用紙」という。）に原稿画像とともに予め指定された追加画像を形成する見開き用紙「追加印字」モードと、見開き用の倍率を２．０、見開き以外用の倍率を１．０に設定する見開き用紙「２倍（２．０×）」印字モードと、見開き用紙として残りの用紙よりも大サイズの用紙を用いる見開き用紙「大サイズ」モードと、見開き用紙のカラーを残りの用紙のカラーとは逆にして印字する（例えば見開きページを赤、残りのページを黒で印字する）見開き用紙「逆カラー」モードとの４種類が用意されている。なお、既述の４種類の見開きページ指定法のいずれかが選択されている場合に限り、見開きページモードキー４５０が有効になる。
【００５７】
図１５中に示すように、まず見開きページ指定が有るか否か、つまり既述の４種類の見開きページ指定法のいずれかが選択されているか否かを判断する（Ｓ６１４）。ここで見開きページ指定がなければ、そのままリターンする。
【００５８】
一方、既述の４種類の見開きページ指定法のいずれかが選択されている状態で、見開きページモードキー４５０が１回オンされると（Ｓ６１５）、まずＬＥＤ４５１がオンしているか否か、すなわち現在見開き用紙追加印字モードに設定されているか否かを判断する（Ｓ６１６）。ここで見開き用紙追加印字モードに設定されていれば、ＬＥＤ４５１をオフして、見開き用紙２倍印字モードを設定するとともにそれに対応するＬＥＤ４５２をオンする（Ｓ６１９）。ステップＳ６１６で見開き用紙追加印字モードに設定されていなければ、次にＬＥＤ４５２がオンしているか否か、すなわち現在見開き用紙２倍印字モードに設定されているか否かを判断する（Ｓ６１８）。ここで見開き用紙２倍印字モードに設定されていれば、ＬＥＤ４５２をオフして、見開き用紙大サイズモードを設定するとともにそれに対応するＬＥＤ４５３をオンする（Ｓ６１９）。ステップＳ６１８で見開き用紙２倍印字モードに設定されていなければ、次にＬＥＤ４５３がオンしているか否か、すなわち現在見開き用紙大サイズモードに設定されているか否かを判断する（Ｓ６２０）。ここで見開き用紙大サイズモードに設定されていれば、ＬＥＤ４５３をオフして、見開き用紙逆カラーモードを設定するとともにそれに対応するＬＥＤ４５４をオンする（Ｓ６２１）。ステップＳ６２０で見開き用紙大サイズモードに設定されていなければ、次にＬＥＤ４５４がオンしているか否か、すなわち現在見開き用紙逆カラーモードに設定されているか否かを判断する（Ｓ６０８）。ここで、見開き用紙逆カラーモードに設定されていれば、ＬＥＤ４５４をオフして、見開きページの印字モードの選択をキャンセルする（Ｓ６２３）。ステップＳ６２２で見開き用紙逆カラーモードに設定されていなければ、見開き用紙追加印字モードを設定するとともにそれに対応するＬＥＤ４５１をオンし（Ｓ６２４）、さらに追加印字設定フラグを１に設定する（Ｓ６２５）。
【００５９】
見開きページモードキー４５０が１回オンされるごとに、このようなＳ６１５〜Ｓ６２５の処理を実行する。この結果、見開きページモードキー４５０が１回オンされるごとに見開き用紙追加印字、見開き用紙２倍印字、見開き用紙大サイズ、見開き用紙逆カラーの各モードが順次切り替えて選択され、５回目のオンで見開きページの印字モードの選択がキャンセルされる。
【００６０】
図１６に示すように、追加印字設定フラグが１に設定されていれば（Ｓ６２６）、追加印字設定ルーチンを実行する（Ｓ６２７）。この追加印字設定ルーチンでは、図１８に示すように、まず操作パネルＯＰ上のタッチパネル４０１に、「日付」、「外枠」、「連番」の各キーを表示する（Ｓ８０１）。ここでオペレータが「日付」キーをオンすると（Ｓ８０２）、現在の日付を見開きページのための追加印字内容としてＲＡＭ１２１に格納する（Ｓ８０３）。また、オペレータが「外枠」キーをオンすると（Ｓ８０４）、所定の外枠を見開きページのための追加印字内容としてＲＡＭ１２１に格納する（Ｓ８０５）。また、オペレータが「連番」キーをオンすると（Ｓ８０６）、所定の連番を見開きページのための追加印字内容としてＲＡＭ１２１に格納する（Ｓ８０７）。そして、表示を元に戻し（Ｓ７０４）、追加印字設定フラグを０に戻す（Ｓ７０５）。なお、オペレータが上記各キーのうちいずれもオンしないときは、リターンする。
【００６１】
図１９は、週刊誌綴じモードが設定された場合に、見開きページの指定に関してこの複写機１が実行する処理を概略的に示している。この例では、８枚（８ページ分）の原稿を複写して得られた複数枚のプリントを重ねて、見開きページの中央で綴じるものとする。まず、週刊誌綴じモードが設定されている場合（Ｓ１０１）は、見開きページに配置すべき原稿画像のページを判断する（Ｓ１０２）。操作パネルを通して例えば５ページ目と６ページ目が指定されているときは、３枚の用紙に複写を行うものと決定する（Ｓ１０３）。その理由は、図２９に示すように、５ページ目と６ページ目を見開きページに配置して週刊誌綴じを行うためには、用紙３枚が必要な最小枚数となるからである。一方、見開きページに配置すべき原稿画像のページが指定されていないときは、２枚の用紙に複写を行うものと決定する（Ｓ１０４）。図３０に示すように、４ページ目と５ページ目を見開きページに配置すれば、用紙２枚で全てのページ（８ページ分）を配置でき、通常の週刊誌綴じができるからである。なお、ステップＳ１０１で週刊誌綴じモードが設定されていない場合は、週刊誌綴じモードではない通常のコピーを行う（Ｓ１０５）。
【００６２】
図２０〜図２２は、図１９の処理を実行するための具体的なフローを示している。
【００６３】
図２０に示すように、コマンド設定処理（図８中のＳ６５）では、まず、スキャンスタート要求の有無を判定し（ステップＳ１２１）、スキャンスタート要求が出されている場合は、設定された複写モードに応じて画像メモリへの書き込み制御のために必要なコマンドを設定する（ステップＳ１２２）。次に、画像メモリからの読み出し動作の要求の有無を判定し（ステップＳ１２３）、画像メモリからの読み出し動作の要求が出されている場合は、操作パネルＯＰを通して週刊誌綴じモードが設定（ＬＥＤ４４１がオン）されているか否かを判定する（ステップＳ１２４）。ここで、週刊誌綴じモードが設定されている場合は、見開きページに配置すべき原稿画像のページ番号を決定する見開きページ設定処理を行い（ステップＳ１２５）、週刊誌綴じモードの読み出し動作を実行する（ステップＳ１２６）。一方、週刊誌綴じモードが設定されていない場合は、通常の読み出し動作を実行する（ステップＳ１２９）。
【００６４】
なお、週刊誌綴じモードで画像メモリから読み出される画像データのページ順は、週刊誌綴じモード以外の通常モードで画像メモリから読み出される画像データのページ順とは異なる。すなわち、プリンタ装置ＰＲＴによる画像形成は用紙毎に行われるが、週刊誌綴じモードでは、図３０から分かるように、１枚目の用紙の片面に「２」ページ目と「７」ページ目、その裏面に「１」ページ目と「８」ページ目の画像を配置し、２枚目の用紙の片面に「４」ページ目と「５」ページ目、その裏面に「３」ページ目と「６」ページ目の画像を配置するというような、特殊なページ順が要求されるからである。
【００６５】
図２１に示すように、見開きページ設定処理（図２０中のＳ１２５）では、まずＡＤＦＲ５００によって読み込んだ原稿枚数に基づいて書き込み総ページ数Ｎを算出する（Ｓ２００）。続いて、ページ数指定モードが設定（ＬＥＤ４６１がオン）されているか否かを判断する（Ｓ２０１）。ページ数指定モードが設定されているときは、ステップＳ７０３で格納したページ番号をページ番号レジスタＰ１に格納する（Ｓ２０２）。このページ番号レジスタＰ１は見開きページに配置すべき原稿画像のページ番号を格納するためのレジスタであり、ＲＡＭ１２６内に設けられる。
【００６６】
また、見開きカラー原稿指定モードが設定（ＬＥＤ４６２がオン）されているときは（Ｓ２０３でＹＥＳ）、複数の原稿中のある原稿が白黒以外のカラーを含むとき、その原稿の画像を見開きページに配置する。そのために、画像信号処理部２０の出力に基づいて各原稿が白黒以外のカラーを含むか否かを判断して、白黒以外のカラーを含む原稿のページ番号をページ番号レジスタＰ１に格納（Ｓ２０４）する。
【００６７】
また、見開き大サイズ原稿指定モードが設定（ＬＥＤ４６３がオン）されているときは（Ｓ２０５でＹＥＳ）、複数の原稿中のある原稿のサイズが残りの原稿のサイズよりも大きいとき、その大サイズの原稿の画像を見開きページに配置する。そのために、原稿サイズセンサＳＥ５１の出力に基づいて各原稿のサイズを判断して、大サイズの原稿のページ番号をページ番号レジスタＰ１に格納（Ｓ２０６）する。このようにした場合、複数の原稿中に残りのサイズの原稿とは異なるサイズの原稿が１枚だけ存在するような場合、例えばＡ４サイズの原稿群中にＡ３サイズの原稿が１枚だけ存在するような場合に、そのＡ３サイズの原稿の画像を見開きページに配置した週刊誌綴じ態様の印刷物が、簡単な操作で確実に得られる。
【００６８】
また、見開き合紙原稿指定モードが設定（ＬＥＤ４６４がオン）されているときは（Ｓ２０７でＹＥＳ）、合紙の後に隣接する原稿の画像を見開きページに配置する。そのために、複数の原稿を読み取った場合に、原稿サイズセンサＳＥ５１の出力に基づいて各原稿のサイズを判断して、１枚目の原稿とサイズが異なる紙を合紙と判定する。そして、合紙と判定された紙の後に隣接する原稿のページ番号をページ番号レジスタＰ１に格納（Ｓ２０６）する。このようにした場合、複数の原稿中の合紙の後に隣接する原稿の画像を見開きページに配置した週刊誌綴じ態様の印刷物が、簡単な操作で確実に得られる。
【００６９】
図２２に示すように、週刊誌モードの読み出し動作（図２０中のＳ１２６）では、まずＲＡＭ１２６内に、画像メモリから読み出される画像データのページ順を表すためのＭ個の要素を持つ原稿ページ番号配列Ｔ＝{Ｔm}（ｍ＝０，１，２，…，Ｍ−１）を用意する（Ｓ２１０）。この要素数Ｍは、書き込み総ページ数Ｎと、ページ番号レジスタＰ１に格納されたページ番号とに応じて、必要最小限の値（ただし、Ｍ≧Ｎ）に定められる。例えば図２９に示した週刊誌綴じ態様の印刷物を得るために、書き込み総ページ数Ｎ＝８、ページ番号レジスタＰ１＝５に設定された場合、少なくとも用紙３枚（両面で全１２ページ）分の要素を必要とするから、要素数Ｍ＝１２と定められる。この原稿ページ番号配列Ｔの各要素Ｔmにはそれぞれ原稿のページ番号が格納（登録）されるのを予定しており、それにより、最初の要素Ｔ0として登録されたページ番号の画像データから最後の要素Ｔ(M-1)として登録されたページ番号の画像データまで順次読み出されることが表される。分かるように、見開きページに配置されるのは、要素Ｔ(M/2-1)と要素Ｔ(M/2)に格納されたページ番号のものである。次に、要素Ｔ(M/2-1)として、ページ番号レジスタＰ１に格納されているページ番号を登録する（Ｓ２１１）。続いて、未登録の残りの各要素Ｔ0〜Ｔ(M/2-2)およびＴ(M/2)〜Ｔ(M-1)に、それぞれ対応する原稿のページ番号を格納する（Ｓ２１２）。なお、この残りの各要素の登録は、最初にページ番号が登録された要素Ｔ(M/2-1)を基準として、そこから番号の小さい要素へ向かって、または番号の大きい要素へ向かって順次行う。このようにして、原稿群中の指定されたページ番号の原稿の画像が見開きページに配置されるようにページ配列を設定する。しかる後、要素Ｔ0として登録されたページ番号の画像データからＴ(M-1)として登録されたページ番号の画像データまで、順次画像メモリから読み出す（Ｓ２１３）。読み出された画像データは順次プリンタ装置ＰＲＴに送られて、プリンタ装置ＰＲＴによって用紙の両面に画像形成が行われる。なお、或る要素Ｔmに対応する原稿のページ番号が存在しなければ、それに対応するプリント部分は白紙になる。
【００７０】
この結果、複数の原稿中の指定されたページ番号の原稿の画像を見開きページに配置し、且つ、原稿のページ順通りにページが配置された週刊誌綴じ態様の印刷物が、自動的に得られる。したがって、操作者は、そのような印刷物を簡単な操作で確実に得ることができる。
【００７１】
図２３は、週刊誌綴じモードが設定された場合に、見開きページの複写モードに関してこの複写機１が実行する処理を概略的に示している。まず、週刊誌綴じモードが設定されている場合（Ｓ３０１）は、操作パネルＯＰを通して、見開きページについて残りのページとは異なるモードが指定されているか否かを判断する（Ｓ３０２）。見開きページについて異なるモードが指定されているときは、見開きページについてその異なるモードでコピーを実行し、残りのページについてそのような指定のないモード（週刊誌綴じモードではある）でコピーを実行する（Ｓ３０３）。このようにした場合、操作者は、見開きページが残りのページとは異なる別モードで印刷された週刊誌綴じ態様の印刷物を、簡単な操作で確実に得ることができる。なお、ステップＳ３０２で見開きページについて異なるモードが指定されていないときは、全てのページについて同じ週刊誌綴じモードでコピーを実行する（Ｓ３０４）。また、ステップＳ３０１で週刊誌綴じモードが設定されていない場合は、週刊誌綴じモードではない通常のコピーを実行する（Ｓ３０５）。
【００７２】
図２４〜図２７は、図２３の処理を実行するための具体的なフローを示している。
【００７３】
例えばモード設定処理（図８中のＳ６４）において、図２４に示すフローを実行すれば、見開き用紙について残りの用紙とは異なるカラーモードを設定することができる。なお、ここで言う「カラーモード」とは、フルカラーやマルチカラーなどの複数色を用いて画像形成するモードだけでなく、ブラック（黒）などの単色を用いて画像形成するモードを含み、広くカラーに関するモードを意味する。詳しくは、週刊誌綴じモードが設定されている場合（Ｓ３１０）は、操作パネルＯＰを通して、見開き用紙について残りの用紙とは異なるカラーモードを指定する旨の見開き用紙カラー指定がされているか否かを判断する（Ｓ３１１）。そのような見開き用紙カラー指定がされているときは、見開き用紙の給紙タイミングであるか否かを判断して（Ｓ３１２）、見開き用紙の給紙タイミングであれば見開き用のカラーモードをセットし（Ｓ３１３）、見開き用紙の給紙タイミングでなければ見開き以外用のカラーモード（週刊誌綴じモードではある）をセットする（Ｓ３１４）。例えば、見開き用のカラーモードではフルカラーの画像形成が行われ、見開き以外用のカラーモードでは白黒の画像形成が行われるものとする。このようにした場合、操作者は、見開き用紙が残りの用紙とは異なるフルカラーで印刷された週刊誌綴じ態様の印刷物を、簡単な操作で確実に得ることができる。また、見開きページを赤、残りのページを黒で印字する見開き用紙逆カラーモードが指定（ＬＥＤ４５４がオン）されているときは、操作者は、そのような週刊誌綴じ態様の印刷物を、簡単な操作で確実に得ることができる。なお、ステップＳ３１１で見開き用紙カラー指定がされていないときは、全ての用紙の画像形成に関して見開き以外用の同じカラーモード（週刊誌綴じモードではある）をセットする（Ｓ３１４）。また、ステップＳ３１０で週刊誌綴じモードが設定されていない場合は、週刊誌綴じモードではない通常コピー用のカラーモードをセットする（Ｓ３１５）。
【００７４】
また、モード設定処理（図８中のＳ６４）において、図２５に示すフローを実行すれば、見開き用紙として残りの用紙とは異なる用紙の種類を設定することができる。詳しくは、週刊誌綴じモードが設定されている場合（Ｓ３２０）は、操作パネルＯＰを通して、見開き用紙として残りの用紙とは異なる用紙を指定する旨の見開き用紙種類指定がされているか否かを判断する（Ｓ３２１）。そのような見開き用紙種類指定がされているときは、見開き用紙の給紙タイミングであるか否かを判断して（Ｓ３２２）、見開き用紙の給紙タイミングであれば見開き用の給紙口コードをセットし（Ｓ３２３）、見開き用紙の給紙タイミングでなければ見開き以外用の給紙口コード（週刊誌綴じモードではある）をセットする（Ｓ３２４）。例えば、見開き用の給紙口からは厚紙が給紙され、見開き以外用の給紙口からは普通紙が給紙されるものとする。このようにした場合、操作者は、見開き用紙が残りの用紙とは異なる厚紙になっている週刊誌綴じ態様の印刷物を、簡単な操作で確実に得ることができる。また、見開き用紙として残りの用紙よりも大サイズの用紙を用いる見開き用紙大サイズモードが指定（ＬＥＤ４５３がオン）されているときは、操作者は、そのような週刊誌綴じ態様の印刷物を、簡単な操作で確実に得ることができる。なお、ステップＳ３２１で見開き用紙種類指定がされていないときは、全ての用紙の給紙に関して見開き以外用の同じ給紙口コード（週刊誌綴じモードではある）をセットする（Ｓ３２４）。また、ステップＳ３２０で週刊誌綴じモードが設定されていない場合は、週刊誌綴じモードではない通常コピー用のカラーモードをセットする（Ｓ３２５）。
【００７５】
また、画像メモリ書き込み制御処理（図９中のＳ７４）において、図２６に示すフローを実行すれば、見開き用紙について残りの用紙とは異なるコピー倍率を設定することができる。詳しくは、週刊誌綴じモードが設定されている場合（Ｓ３３０）は、操作パネルＯＰを通して、見開き用紙について残りの用紙とは異なるコピー倍率を指定する旨の見開き用紙倍率指定がされているか否か、例えば既述の見開き用紙２倍印字モードが指定（ＬＥＤ４５２がオン）されているか否かを判断する（Ｓ３３１）。そのような見開き用紙倍率指定がされているときは、見開き用紙に対応する原稿給紙タイミングであるか否かを判断して（Ｓ３３２）、見開き用紙に対応する原稿給紙タイミングであれば見開き用の倍率をセットし（Ｓ３３３）、見開き用紙に対応する原稿給紙タイミングでなければ見開き以外用の倍率（週刊誌綴じモードではある）をセットする（Ｓ３３４）。イメージリーダＩＲによって原稿の画像を読み込む段階で、例えば見開き用の倍率は２．０に設定され、見開き以外用の倍率は１．０に設定されるものとする。このようにした場合、操作者は、見開き用紙の画像が残りの用紙の画像とは異なるコピー倍率２．０になっている週刊誌綴じ態様の印刷物を、簡単な操作で確実に得ることができる。なお、ステップＳ３３１で見開き用紙倍率指定がされていないときは、全ての原稿の給紙に関して見開き以外用の同じ倍率（週刊誌綴じモードではある）をセットする（Ｓ３３４）。また、ステップＳ３３０で週刊誌綴じモードが設定されていない場合は、週刊誌綴じモードではない通常コピー用の倍率をセットする（Ｓ３３５）。
【００７６】
また、伸張制御処理（図９中のＳ７６）において、図２７に示すフローを実行すれば、見開き用紙についてのみ追加印字を行う編集モードを設定することができる。ここで「追加印字」とは、原稿画像とともに予め指定された追加画像を用紙に形成することを意味している。「追加画像」としては、日付、外枠などが用意されているものとする。まず、週刊誌綴じモードが設定されている場合（Ｓ３４０）は、操作パネルＯＰを通して、見開き用紙についてのみ追加印字を行う旨の見開き用紙追加印字指定（ＬＥＤ４５１がオン）がされているか否かを判断する（Ｓ３４１）。そのような見開き用紙追加印字指定がされているときは、見開き用紙の給紙タイミングであるか否かを判断して（Ｓ３４２）、見開き用紙の給紙タイミングであれば印字用メモリに予め指定された追加画像を書き込み（Ｓ３４３）、見開き用紙の給紙タイミングでなければそのままリターンする。このようにした場合、操作者は、見開き用紙についてのみ追加印字が行われた週刊誌綴じ態様の印刷物を、簡単な操作で確実に得ることができる。なお、ステップ３４１で見開き用紙追加印字指定がされていないときや、ステップＳ３４０で週刊誌綴じモードが設定されていないときは、そのままリターンする。
【００７７】
図２８は、週刊誌綴じモードが設定された場合に、見開きページの指定および見開きページの複写モードに関してこの複写機１が実行する処理を統合して、概略的に例示している。この例では、８枚（８ページ分）の原稿を複写して得られた複数枚のプリントを重ねて、見開きページの中央で綴じるものとする。
【００７８】
まず、週刊誌綴じモードが設定されている場合（Ｓ４０１）は、見開きページに配置すべき原稿のページを判断する（Ｓ４０２）。操作パネルを通して例えば５ページ目と６ページ目が指定されているときは、３枚の用紙に複写を行うものと決定する（Ｓ４０３）。その理由は、図２９に示すように、５ページ目と６ページ目を見開きページに配置して週刊誌綴じを行うためには、用紙３枚が必要な最小枚数となるからである。一方、見開きページに配置すべき原稿のページが指定されていないときは、２枚の用紙に複写を行うものと決定する（Ｓ４０４）。図３０に示すように、４ページ目と５ページ目を見開きページに配置すれば、用紙２枚で全てのページ（８ページ分）を配置でき、通常の週刊誌綴じができるからである。次に、見開き用紙として残りの用紙とは異なる厚紙を指定する旨の見開き用紙種類指定がされているか否かを判断する（Ｓ４０５）。見開き用紙として厚紙が指定されているときは、見開き用紙のみ厚紙とし、残りの用紙を普通紙として週刊誌綴じコピーを実行する（Ｓ４０６）。一方、そのような見開き用紙種類指定が無いときは、全ての用紙を普通紙として週刊誌綴じコピーを実行する（Ｓ４０７）。なお、ステップＳ４０１で週刊誌綴じモードが設定されていない場合は、週刊誌綴じモードではない通常のコピーを行う（Ｓ４０８）。
【００７９】
なお、上述の見開き合紙原稿指定モードでは合紙の後に隣接する原稿の画像を見開きページに配置するようにしたが、合紙の前に隣接する原稿の画像を見開きページに配置するようにしてもよい。また、色等、サイズ以外の情報により合紙を他の原稿から判別するようにしてもよい。
【００８０】
なお、見開きページに関する指定や各種モードの指定は、操作パネルＯＰを通して入力するのではなく、パーソナルコンピュータなどの端末からネットワークを介して入力するようにしても良い。
【００８１】
また、スキャナ部とプリンタ部とは別体になっていても良い。さらに、パーソナルコンピュータなどで画像データを作成し、その画像データをプリンタに送って出力する形態をとっても良い。
【図面の簡単な説明】
【図１】  この発明を適用したディジタル複写機の内部構成の概略を示す図である。
【図２】  紙折り処理の結果を例示する図である。（Ａ）はプリントを中央で折り畳む二つ折り、（Ｂ）はプリントをＺ状に折り畳むＺ折り、（Ｃ）は一旦二つ折りしたプリントを週刊誌綴じのために開く紙開きの結果をそれぞれ示している。
【図３】  ステープル処理の結果を例示する図である。（Ａ）はステープルをコーナー部に打ち込むコーナーステープル、（Ｂ）は２個のステープルを一側部に打ち込むサイドステープル、（Ｃ）は２個のステープルを中央の折り目上に打ち込む中央ステープルの結果をそれぞれ示している。
【図４】  上記複写機の操作パネルを示す図である。
【図５】  上記複写機の制御部の構成を示す図である。
【図６】  上記制御部のメモリユニット部の構成を示す図である。
【図７】  上記制御部のＰＵ１０１で実行されるメインルーチンのフローを示す図である。
【図８】  上記制御部のＰＵ１０５で実行されるメインルーチンのフローを示す図である。
【図９】  上記制御部のＰＵ１０６で実行されるメインルーチンのフローを示す図である。
【図１０】  各種コピーモードを指定するためにオペレータが操作パネル上でした操作に伴って、ＣＰＵ１０１が実行する入力処理のフロー（第１部）を示す図である。
【図１１】  各種コピーモードを指定するためにオペレータが操作パネル上でした操作に伴って、ＣＰＵ１０１が実行する入力処理のフロー（第２部）を示す図である。
【図１２】  各種コピーモードを指定するためにオペレータが操作パネル上でした操作に伴って、ＣＰＵ１０１が実行する入力処理のフロー（第３部）を示す図である。
【図１３】  週刊誌綴じモード設定処理（図１２中のＳ５２７）の具体的なフロー（第１部）を示す図である。
【図１４】  週刊誌綴じモード設定処理（図１２中のＳ５２７）の具体的なフロー（第２部）を示す図である。
【図１５】  週刊誌綴じモード設定処理（図１２中のＳ５２７）の具体的なフロー（第３部）を示す図である。
【図１６】  週刊誌綴じモード設定処理（図１２中のＳ５２７）の具体的なフロー（第４部）を示す図である。
【図１７】  ページ番号指定処理（図１４中のＳ６１３）の具体的なフローを示す図である。
【図１８】  追加印字設定処理（図１６中のＳ６２７）の具体的なフローを示す図である。
【図１９】  週刊誌綴じモードが設定された場合に、見開きページの指定に関して上記複写機が実行する処理フローを概略的に示す図である。
【図２０】  図１９の処理フローを実行する場合のコマンド設定処理（図８中のＳ６５）のフローを具体的に示す図である。
【図２１】  見開きページ設定処理（図２０中のＳ１２５）のフローを具体的に示す図である。
【図２２】  週刊誌モードの読み出し動作（図２０中のＳ１２６）のフローを具体的に示す図である。
【図２３】  週刊誌綴じモードが設定された場合に、見開きページの複写モードに関して上記複写機が実行する処理フローを概略的に示す図である。
【図２４】  図２３の処理フローを実行する場合のモード設定処理（図８中のＳ６４）のフローを具体的に示す図である。
【図２５】  図２３の処理フローを実行する場合のモード設定処理（図８中のＳ６４）の別のフローを具体的に示す図である。
【図２６】  図２３の処理フローを実行する場合の画像メモリ書き込み制御処理（図９中のＳ７４）のフローを具体的に示す図である。
【図２７】  図２３の処理フローを実行する場合の伸張制御処理（図９中のＳ７６）のフローを具体的に示す図である。
【図２８】  週刊誌綴じモードが設定された場合に、見開きページの指定および見開きページの複写モードに関してこの複写機が実行する処理フローを統合して、概略的に示す図である。
【図２９】  ８ページ分の原稿画像のうち５ページ目と６ページ目が見開きページに配置されている週刊誌綴じ態様の印刷物を示す図である。
【図３０】  ８ページ分の原稿画像のうち４ページ目と５ページ目が見開きページに配置されている週刊誌綴じ態様の印刷物を示す図である。
【符号の説明】
１０  走査系
２０  画像信号処理部
３０  メモリユニット部
４０  印字処理部
６０  レーザ光学系
７０  作像系
５００  ＡＤＦＲ
６００  再給紙ユニット
【図１】
0004411774.tif 000002
【図２】
0004411774.tif 000003
【図３】
0004411774.tif 000004
【図４】
0004411774.tif 000005
【図５】
0004411774.tif 000006
【図６】
0004411774.tif 000007
【図７】
0004411774.tif 000008
【図８】
0004411774.tif 000009
【図９】
0004411774.tif 000010
【図１０】
0004411774.tif 000011
【図１１】
0004411774.tif 000012
【図１２】
0004411774.tif 000013
【図１３】
0004411774.tif 000014
【図１４】
0004411774.tif 000015
【図１５】
0004411774.tif 000016
【図１６】
0004411774.tif 000017
【図１７】
0004411774.tif 000018
【図１８】
0004411774.tif 000019
【図１９】
0004411774.tif 000020
【図２０】
0004411774.tif 000021
【図２１】
0004411774.tif 000022
【図２２】
0004411774.tif 000023
【図２３】
0004411774.tif 000024
【図２４】
0004411774.tif 000025
【図２５】
0004411774.tif 000026
【図２６】
0004411774.tif 000027
【図２７】
0004411774.tif 000028
【図２８】
0004411774.tif 000029
【図２９】
0004411774.tif 000030
【図３０】
0004411774.tif 000031